(57)【要約】【課題】ロール紙ホルダにおけるロール紙空心受けを屈曲復元弾性素材で作り、空心受け自体に屈曲復元性を持たせることで、従来のロール紙ホルダに各別に必要であった回動枢支式のロール紙空心受け専用部材とその原状復帰専用部材とを不要化すること。【解決手段】平面ほぼコ字状やヨ字状のロール紙ホルダＨにおける左右の側体１にそれぞれ屈曲復元弾性素材で作った平面ほぼＵ字状で先端が閉じたロール紙空心受け２をその固定基部３で互いに対向させて固定することで、これら各空心受け２を前記各側体１に対し空心受け自体の屈曲復元弾力で屈曲復元可能に対向突設した。【選択図】  図１
2004166870.tif 000002
【特許請求の範囲】
【請求項１】
平面ほぼコ字状のロール紙ホルダＨにおける左右の側体１にそれぞれ屈曲復元弾性素材で作った平面ほぼＵ字状で先端が閉じたロール紙空心受け２をその固定基部３で互いに対向させて固定することで、これら各空心受け２を前記各側体１に対し空心受け自体の屈曲復元弾力で屈曲復元可能に対向突設してなるロール紙ホルダ。
【請求項２】
平面ほぼヨ字状の横隣設二連式ロール紙ホルダＨにおける各側体１にそれぞれ屈曲復元弾性素材で作った平面ほぼＵ字状で先端が閉じたロール紙空心受け２をその固定基部３で互いに対向させて固定することで、これら各空心受け２を前記各側体１に対し空心受け自体の屈曲復元弾力で屈曲復元可能に対向突設してなるロール紙ホルダ。
【請求項３】
前記屈曲復元弾性素材で作った平面ほぼＵ字状で先端が閉じたロール紙空心受け２をその屈曲復元弾力に抗し外力で傾動させることで、これら各空心受け２にそれぞれ屈曲径差を有する二つの屈曲復元部２Ａを形成して各ロール紙空心受け２を全体的に「クネリ撓み」変形させた後、この各ロール紙空心受け２の傾動解除により、上記各屈曲復元部２Ａ固有の屈曲復元弾力で前記各ロール紙空心受け２を原状復帰可能となした請求項１または請求項２に記載のロール紙ホルダ。
【請求項４】
前記各側体１にロール紙空心受け２の固定基部３を固定するに当たり、横断面角形の固定ポスト４に前記ロール紙空心受け２の固定基部３に透設した角孔３Ａをポスト下鍔４Ｂまで挿入して上記固定基部３を不動に支持した後、この固定ポスト４を前記側体１に定着することで、前記空心受け２をそれ自体の屈曲復元弾力で各側体１に自己対向復帰可能に対向突設し、かつ前記固定基部３をポスト下鍔４Ｂの上面と側体下縁とで挟支して抜け止めを施してなる請求項１から請求項３までのいずれか一つの請求項に記載のロール紙ホルダ。
【請求項５】
前記各側体１にロール紙空心受け２の固定基部３を固定するに当たり、横断面輪郭が角形の固定ポスト４に前記空心受け２の固定基部３に透設した角孔３Ａをポスト下鍔４Ｂまで挿入して上記固定基部３を不動に支持した後、この固定ポスト４の上部に対向突設した係止鉤片４Ａをその固有弾力に抗し、側体１の下部に形成した結合孔１Ａの上縁１Ｂに係止して各側体１にそれぞれ固定ポスト４を定着することで、前記空心受け２を前記各側体１に自己対向復帰可能に対向突設し、かつ前記固定基部３をポスト下鍔４Ｂの上面と側体下縁とで挟支してロール紙空心受け２の抜け止めを施してなる請求項１から請求項４までのいずれか一つの請求項に記載のロール紙ホルダ。
【請求項６】
ロール紙ホルダＨにおける左右の側体１にれぞれ屈曲復元弾性素材で作ったロール紙空心受け２をその固定基部３で互いに内向きに対向させて固定することで、各ロール紙空心受け２を前記各側体１に対し屈曲復元可能に対向突設し、これらの空心受け２の間に各空心受け２自体の屈曲復元弾力に抗しロール紙５の左右の側辺を圧入することで、これら各空心受け２における二つの屈曲復元部２Ａをそれぞれロール紙５の左右の側辺に弾接させて屈曲させ、ロール紙５の空心６内に各ロール紙空心受け２をその二つの屈曲復元部２Ａの屈曲復元弾力により突入復帰させることで、これら各空心受け２にロール紙５を回転可能に支持し、このロール紙５の上部前寄り外周面に前記ロール紙ホルダＨの後側左右枢支部７で起伏可能に枢支した紙切り板８の前辺下面を圧接し、この前辺下面を経て前方へ繰り出したロール紙５の繰り出し部を前記紙切り板８の前辺刃先９でカット可能となしたロール紙ホルダ。
【請求項７】
前記紙切り板８の枢支部付近をばねなどの水平保持部材でロール紙ホルダＨの後部に連絡することで、上記紙切り板８を水平を境として上下に弾力的に起伏可能に構成してなる請求項６に記載のロール紙ホルダ。
【請求項８】
前記ロール紙空心受け２をその固定基部３と共にポリエステル・エラストマで一体的に射出成形してなる請求項１から請求項７までのいずれか一つの請求項に記載のロール紙ホルダ。
【発明の詳細な説明】
【０００１】
【発明の属する技術分野】
この発明は、トイレットペーパなどのロール紙または、これに近似したロール巻きシート状物の繰り出し用ホルダに係り、特に本発明ではロール紙空心受けを屈曲復元弾性素材で平面ほぼＵ字状で先端が閉じた中空形状に作ることで、これら各空心受け自体に屈曲復元性を持たせ、ロール紙空心受け自体の対向復元弾力の弱化、すなわち屈曲復元弾性部材固有の所謂「ヘタリ」による前記空心受けの自己対向復帰動作の不安定要素をすべて除去できたロール紙ホルダに関する。
【０００２】
【従来の技術】
回動枢支式のロール紙空心受け専用部材を別設の屈曲復元弾性部材（ばね部材）で対向復帰するようにしたロール紙ホルダとしては、従来、例えば本出願人等が先に提案した特開平９−２１７８２９号公報記載のものや、特開平１０−１２９７２７号公報中、図１０と図１１との説明文記載のものなどが周知である。
【０００３】
これらの各従来の技術は、いずれも平面ほぼ「コ」字状または「ヨ」字状のロール紙ホルダにおける複数の側体の各対向面にそれぞればねなどの原状復帰専用部材で対向突出復帰する硬質プラスチック製ロール紙空心受け専用部材を常には対向するよう回動可能に枢支して設け、これらの空心受け間にその前方からロール紙を差し入れてロール紙をその芯管または空心で上記各ロール紙空心受けに枢支セットして用いるのであるが、この枢支セット時には、予め前記別設の原状復帰専用部材で対向復帰している上記左右の各空心受け専用部材を上記原状復帰専用部材による突出弾力に抗してロール紙側面で後方に斜めに押し傾けながらロール紙を後方に動かし、ロール紙芯管または空心の左右開口縁が空心受け先端に対向したとき、上記左右の各ロール紙空心受け専用部材を上記原状復帰専用部材の内向き屈曲復元弾力で上記芯管または空心内にそれぞれ突入させることで、ロール紙をロール紙ホルダに対し枢支セットするとしている。
なお、上記各従来のロール紙ホルダから空になったロール紙芯管を取り除くには、この芯管を手前に引き出すことで、空の芯管内に弾力的に突入している上記左右の各ロール紙空心受けを上記ばね部材の屈曲復元弾力に抗して前方斜めに傾けながら空になったロール紙芯管をロール紙ホルダから取り除くとしている。
【０００４】
【発明が解決しようとする課題】
したがって、これら二つの各従来例を初めとして従来のロール紙ホルダは、一般に左右の各ロール紙空心受け専用部材と、これを常には弾力的にロール紙ホルダの側体対向面から内向き中立に対向突出維持するための肝心な原状復帰専用部材との二物品が各別に必要であるから、この分だけコストアップになるだけでなく、その製造・管理・運搬・保管・販売・購入・使用のすべての面で扱い辛く不便で面倒であるという本質的かつ、大きな問題点が有る。
【０００５】
また、前記各従来例における「人」字状や一文字状の板ばね単板を枢支体上下に配設して用いた例では、これら可撓プラスチック単板自体が薄い一枚板であるからその可撓復元弾力はもともと弱い上に、板ばね単板二枚を一枚ずつ枢支体上下に配設して用いているから、各板ばね単板の縦幅を空心受けの中空内法高さの約半分と幅狭にしなければならず、各板ばね単板の可撓復元弾力がますます弱化するとともに、前記のようにロール紙セット時における各空心受けの後方斜め傾動と空の芯管の取り除き時における各空心受けの前方斜め傾動の都度、各板ばね単板にその弾撥力に抗して加わる曲げ応力は、各板ばね単板の屈曲弾撥部だけに集中して繰り返し加わるため、上記板ばね屈曲弾撥部に曲がり癖が付き部分的に機械疲労し易く、その屈曲復元弾力が極端に弱くなってしまうという屈曲復元弾性部材固有の所謂「ヘタリ」が生じ、使用途中で空心受けの対向復帰位置が著しく不安定になって使い物にならなくなったり、特に前記各板ばね単板の屈曲弾撥部にその弾性復帰限界以上の曲げ応力が集中的に繰り返し加わったような場合には、一発で使い物にならなくなるという本質的かつ、大きな問題点も有る。
【０００６】
この発明は、ロール紙ホルダにおけるロール紙空心受け自体を屈曲復元弾性素材で平面ほぼＵ字状で先端が閉じた形状に作ることで、これら各空心受け自体に屈曲復元性を持たせるとともに、ロール紙空心受け自体の対向復元弾力の弱化、すなわち、屈曲復元弾性部材固有の所謂「ヘタリ」による前記空心受けの自己対向復帰動作の不安定要素をすべて除去することを目的とする。
【０００７】
【課題を解決するための手段】
上記したこの発明の目的は、平面ほぼコ字状またはヨ字状のロール紙ホルダにおける左右の側体にそれぞれ屈曲復元弾性素材で作った平面ほぼＵ字状で先端が閉じたロール紙空心受けをその固定基部で互いに対向させて固定することで、これら各空心受けを前記各側体に対し空心受け自体の屈曲復元弾力で屈曲復元可能に対向突設したことで達成できた。
【０００８】
【発明の実施の形態】
本発明の実施の形態例について図面を参照して説明する。
先ず、この発明の基本形態は、プラスチックなどで図１のように平面ほぼコ字状に成形したロール紙ホルダＨにおける左右の各側体１にそれぞれポリエステル・エラストマなどの屈曲復元弾性素材で成形して作ったロール紙空心受け２をその二つの屈曲復元部２Ａを経た固定基部３で互いに対向させて固定突設することで、これらのロール紙空心受け２をその二つの屈曲復元部２Ａの屈曲復元弾力で前記各側体１に対し屈曲復元可能に互いに対向させて突設する。
【０００９】
より具体的には、前記各側体１にロール紙空心受け２の固定基部３を固定するに当たり、図２のような横断面輪郭が角形の固定ポスト４に前記ロール紙空心受け２の固定基部３に透設した角孔３Ａを固定ポスト４の下鍔４Ｂまで挿入または無理嵌め圧入して上記固定基部３を不動に支持した後、上記固定ポスト４の上部に対向突設した外向きの係止鉤片４Ａをその固有弾力に抗し、間隔をすぼめて図２のような側体１の下部結合孔１Ａに係入後、各係止鉤片４Ａを結合孔上縁１Ｂから突出させることで、図１における要部拡大図のように原状復帰させ、この結合孔上縁１Ｂに各係止鉤片４Ａを上記要部拡大図のように係止できるとともに、固定ポスト４の上部を側体結合孔１Ａの内面に上記要部拡大図のように不動に定着することができ、各ロール紙空心受け２を図１のように前記左右の各側体１に自己対向復帰可能に配設でき、その固定基部３の上下を図１における要部拡大図のように固定ポスト４の下鍔上面と側体１の下面とで挟持してロール紙空心受け２の抜け止めを施すことができる。
【００１０】
そして、これらの各ロール紙空心受け２に後述する手段でロール紙５をその空心６で同図１のように回転可能に支持することができ、このロール紙５の上部前寄り外周面に前記ホルダＨの後側左右枢支部７で起伏可能に枢支した紙切り板８の前辺下面を圧接させることで、この前辺下面を経て前方へ繰り出したロール紙５の繰り出し部を前記紙切り板８の前辺刃先９でカット可能となした本発明によるロール紙ホルダＨを構成できた。
【００１１】
本発明の全体的な構成は以上のようなもので、以下本発明におけるロール紙空心受け２の実際的な使用動作例について説明する。
先ず、前記側体１に対して図１のように、ほぼ直角に中立対向突出した原状にある左右のロール紙空心受け２の間にロール紙５の左右の側辺を手前から奥方向に向け図３のように圧入することで、各ロール紙空心受け２における二つの屈曲復元部２Ａをその屈曲復元弾力に抗し、上記図３のように後方に「クネリ撓み」変形屈曲させながらロール紙５を圧入し続けると、この圧入動作の進行に伴い、ロール紙５の空心６の左右外側が各空心受け２の先端が対向した時点で、各空心受け２は、その二つの屈曲復元部２Ａの屈曲復元弾力により上記空心６内に図４のように突入し中立対向復帰するから、これら各ロール紙空心受け２にロール紙５を同図４および図１のように回転可能に支持できる。
【００１２】
その後、このロール紙５の上部前寄り外周面に前記紙切り板８の前辺下面を前記枢支部７を中心として図１における矢示ａのように下向きに回動して圧接し、この前辺下面を経て前方へ繰り出したロール紙５の繰り出し部を前記紙切り板８の前辺刃先９でカットすることで、このカットしたロール紙５を使用できる。
なお、上記ロール紙ホルダＨから使用済の芯管６を取り除くには、空になった芯管内６に突入している上記左右の各ロール紙空心受け２を前記自己対向突出弾力に抗して図５のように前方屈曲させながら空の芯管６を手前に引き出すことで、ロール紙ホルダＨから取り除けると同時に、上記各ロール紙空心受け２はその屈曲復元弾力で原状復帰するが、これら対向復帰済の空心受け２に新しいロール紙５を前記図３の状態を経て再び枢支セットして用いることができる。
【００１３】
なお、本発明におけるほぼＵ字状で先端が閉じたロール紙空心受け２は、前記外力とその解除により、それぞれかなり広範囲の二つの屈曲復元部２Ａで前後方向の全体的な「クネリ撓み」変形と自己中立対向復帰という動作を交互に繰り返すことになるが、この繰り返し動作の都度、二つの屈曲復元部２Ａに加わる曲げ応力は、交互正逆に前記広範囲に亘り全体的に分散し局所的に集中せず、上記ロール紙空心受け２は、上記各図のように全体的に満遍なく交互正逆に変形しながら動くから、前記二つの屈曲復元部２Ａにはそれぞれ無理な曲げ応力が集中して加わることがなく、したがって上記空心受け２を全体的にクネらせながら交互各別に撓ませた後、これを自己中立対向復帰させるという苛酷な動作を長期に亘り多数回繰り返し実行しても、上記屈曲復元部２Ａには曲がり癖が付かず、ロール紙空心受け２の復元弾力に屈曲復元部材固有の所謂「ヘタリ」が生じない
【００１４】
【実施例】
本発明に用いた前記ロール紙空心受け２における固定基部３のロール紙ホルダ側体１に対する固定手段としては、ロール紙ホルダ側体１に固定すべき前述した横断面輪郭が角形の固定ポスト４に前記ロール紙空心受け２の固定基部３に透設した角孔３Ａを固定ポスト４の下鍔４Ｂまで挿入して上記固定基部３を不動に支持した固定手段以外に、例えば周知の菊座金付きの雄ねじで固定基部３をロール紙ホルダ側体１の内向き切欠面に直接固定したり、固定基部３の平面輪郭形状を角形などの非円形として、この非円形固定基部３を前記固定ポスト４のほぼ同形非円形凹所に無理嵌め圧入して固定したり、その他種々の固定手段で固定基部３をロール紙ホルダ側体１や固定ポスト４に固定することができる。
また、本発明におけるロール紙ホルダＨの平面輪郭形状としては、前記のような平面ほぼコ字状の単一タイプのものだけでなく、図６のような平面ほぼヨ字状で周知の横隣設一体化二連式ロール紙ホルダＨにも当然に応用実施できる。
【００１５】
さらに、前記紙切り板８の前辺刃先９として、ポリエステル・エラストマなどの手指に優しく柔軟で表面摩擦が大きい可撓弾性プラスチックで櫛歯状に射出成形した柔軟な刃先板を取着して用いてもよい。
なお、前記紙切り板８は、その自重や屈曲復元弾性部材でロール紙５の前側上面に圧接するようにしてもよいが、紙切り板８の枢支部付近をばね（図示せず）などの水平保持部材でロール紙ホルダＨの後部に周知手段で連絡することで、上記紙切り板８を水平を境として上下に弾力的に起伏するようにしてもよく、このようにすると、ロール紙空心６の前記取り除きや、新しいロール紙などのセットに当たり、紙切り板８が邪魔にならず便利となった。
【００１６】
【発明の効果】
本発明は、以上のような形態を採用したので、以下に記載の効果を奏する。
本発明における請求項１から請求項３までの各発明によれば、平面ほぼコ字状やヨ字状のロール紙ホルダＨにおける各側体１にそれぞれ屈曲復元弾性素材で作った平面ほぼＵ字状で先端が閉じたロール紙空心受け２をその固定基部３で互いに対向させて固定することで、これら各空心受け２を前記各側体１に対し空心受け自体の屈曲復元弾力で屈曲復元可能に対向突設したので、前記側体１に対してほぼ直角に中立対向突出した原状にある左右のロール紙空心受け２の間にその屈曲復元弾力に抗し、ロール紙５の左右の側辺を手前から奥方向に向け圧入することで、各ロール紙空心受け２における二つの屈曲復元部２Ａを屈曲させながらロール紙５を圧入することができ、ロール紙５の空心６の左右外側に各空心受け２の先端を対向させることで、各空心受け２をその二つの屈曲復元部２Ａの屈曲復元弾力により上記空心６内に突入復帰させることができ、これら各ロール紙空心受け２にロール紙５を回転可能に支持できる。
【００１７】
したがって、本発明による前記各発明によれば、ロール紙ホルダＨにおけるロール紙空心受け２を屈曲復元弾性素材で作り、空心受け自体に屈曲復元性を持たせたので、前記従来のロール紙ホルダに各別に必要であった回動枢支式のロール紙空心受け専用部材とその原状復帰専用部材とが本発明では不要化できたので、この分だけロール紙ホルダＨにおけるロール紙空心受け部分の部品管理やその組立製造・保管・販売・購入・使用のすべての面で有利となり、特に価格面で著しく有利になったという優れた効果が有る。
【００１８】
また、特に本発明におけるほぼＵ字状で先端が閉じたロール紙空心受け２は、前記外力とその解除により、それぞれかなり広範囲の二つの屈曲復元部２Ａで前後方向の全体的な「クネリ撓み」変形と自己中立対向復帰という動作を交互に繰り返すことになるが、この繰り返し動作の都度、二つの屈曲復元部２Ａに加わる曲げ応力は、交互正逆に前記広範囲に亘り全体的に分散し局所的に集中せず、上記ロール紙空心受け２は、上記各図のように全体的に満遍なく交互正逆に変形しながら動くから、前記二つの屈曲復元部２Ａにはそれぞれ無理な曲げ応力が集中して加わることがなく、したがって上記空心受け２を全体的にクネらせながら交互各別に撓ませた後、これを自己中立対向復帰させるという苛酷な動作を長期に亘り多数回繰り返し実行しても、上記屈曲復元部２Ａには曲がり癖が付かず、ロール紙空心受け２の復元弾力に屈曲復元部材固有の所謂「ヘタリ」が生じないという優れた効果も有る。
【００１９】
本発明における請求項４の発明によれば、前記諸効果に加え、前記各側体１にロール紙空心受け２の固定基部３を固定するに当たり、横断面角形の固定ポスト４に前記ロール紙空心受け２の固定基部３に透設した角孔３Ａをポスト下鍔４Ｂまで挿入して上記固定基部３を不動に支持した後、この固定ポスト４を前記側体１に定着することで、前記空心受け２をそれ自体の屈曲復元弾力で各側体１に自己対向復帰可能に対向突設し、かつ前記固定基部３をポスト下鍔４Ｂの上面と側体下縁とで挟支して抜け止めを施したので、前記結合孔１Ａに固定ポスト４の上部を手易く定着でき、ロール紙ホルダＨとしての組立て作業性を向上させることができたという効果を付加できた。
【００２０】
本発明における請求項５の発明によれば、前記諸効果に加え、前記各側体１にロール紙空心受け２の固定基部３を固定するに当たり、横断面輪郭が角形の固定ポスト４に前記空心受け２の固定基部３に透設した角孔３Ａをポスト下鍔４Ｂまで挿入して上記固定基部３を不動に支持した後、この固定ポスト４の上部に対向突設した係止鉤片４Ａをその固有弾力に抗し、側体１の下部に形成した結合孔１Ａの上縁１Ｂに係止して各側体１にそれぞれ固定ポスト４を定着することで、前記空心受け２を前記各側体１に自己対向復帰可能に対向突設し、かつ前記固定基部３をポスト下鍔４Ｂの上面と側体下縁とで挟支してロール紙空心受け２の抜け止めを施したので、前記結合孔１Ａに固定ポスト４の上部を極く手易くワンタッチで「パチン」と一発定着でき、ロール紙ホルダＨとしての組立て作業性を大幅に向上させることができたという効果を付加できた。
【００２１】
本発明における請求項６の発明によれば、前記諸効果に加え、前記左右の空心受け２で回転可能に支持したロール紙５の上部前寄り外周面に前記ロール紙ホルダＨの後側左右枢支部７で起伏可能に枢支した紙切り板８の前辺下面を圧接させることで、この前辺下面を経て前方へ繰り出したロール紙５の繰り出し部を前記紙切り板８の前辺刃先９でカットして使用できるという効果を付加できた。
【００２２】
本発明による請求項７の発明によれば、前記諸効果に加え、紙切り板８の枢支部付近をばねなどの水平保持部材でロール紙ホルダＨの後部に連絡することで、上記紙切り板８を水平を境として上下に弾力的に起伏させることができるから、ロール紙空心６の取り除きや、新しいロール紙などのセットに当たり、紙切り板８が邪魔にならず便利となったという効果を付加できた。
【００２３】
本発明による請求項８の発明によれば、前記諸効果に加え、前記ロール紙空心受け２をその固定基部３と共にポリエステル・エラストマで一体的に射出成形したので、各ロール紙空心受け２の復元弾力をより一層安定に長期維持できるロール紙ホルダを安価に多量製造することができるという効果を付加できた。
【図面の簡単な説明】
【図１】本発明の実施形態の一例を示す斜視図とその要部拡大図
【図２】本発明によるロール紙空心受け部分の組立て前の分解斜視図
【図３】本発明におけるロール紙空心受けの動作例を示す要部横断平面略図
【図４】図３に示すものと状態を異にした要部横断平面略図
【図５】図４に示すものと状態を異にした要部横断平面略図
【図６】図１に示すものの他の例を示す斜視図
【符号の説明】
Ｈ    ロール紙ホルダ
１    ロール紙ホルダの側体
１Ａ  側体結合孔
２    ほぼＵ字状で先端が閉じたロール紙空心受け
２Ａ  ロール紙空心受けの二つの屈曲復元部
３    ロール紙空心受けの固定基部
３Ａ  固定基部の角孔
４    固定ポスト
４Ａ  固定ポストの係止鉤片
４Ｂ  固定ポストの下鍔
５    ロール紙
６    ロール紙の空心または芯管
７    紙切り板の枢支部
８    紙切り板
９    紙切り板の前辺刃先
【図１】
2004166870.tif 000003
【図２】
2004166870.tif 000004
【図３】
2004166870.tif 000005
【図４】
2004166870.tif 000006
【図５】
2004166870.tif 000007
【図６】
2004166870.tif 000008